【手続補正書】
【提出日】平成30年6月6日(2018.6.6)
【手続補正１】
【補正対象書類名】明細書
【補正対象項目名】発明の名称
【補正方法】変更
【補正の内容】
【発明の名称】撮影装置、無線装置、撮影方法及びプログラム
【手続補正２】
【補正対象書類名】明細書
【補正対象項目名】０００１
【補正方法】変更
【補正の内容】
【０００１】
本発明は、自動撮影が可能な撮影装置、無線装置、撮影方法及びプログラムに関する。
【手続補正３】
【補正対象書類名】明細書
【補正対象項目名】０００５
【補正方法】変更
【補正の内容】
【０００５】
本発明は、かかる従来の課題に鑑みてなされたものであり、被写体と撮影者との双方が多様な状況下においても、良好な撮影タイミングでの撮影を確実に行うことができる撮影装置、無線装置、撮影方法及びプログラムを提供することを目的とする。
【手続補正４】
【補正対象書類名】明細書
【補正対象項目名】０００６
【補正方法】変更
【補正の内容】
【０００６】
前記目的を達成するため、本発明の撮影装置の一態様は、自機の状態に関する第１の特定情報を取得する第１の情報取得手段と、被写体側で取得された前記被写体の状態に関する第２の特定情報を取得する第２の情報取得手段と、前記第１の情報取得手段により取得された前記第１の特定情報と前記第２の情報取得手段により取得された前記第２の特定情報とに基づいて撮影手段に前記被写体の撮影を行わせる撮影制御手段と、を備えた、ことを特徴とする。
【手続補正５】
【補正対象書類名】明細書
【補正対象項目名】０００７
【補正方法】変更
【補正の内容】
【０００７】
また、前記目的を達成するため、本発明の無線装置の一態様は、自機を所有する被写体の状態に関する第１の特定情報を取得する第１の情報取得手段と、撮影装置側で取得された前記撮影装置の状態に関する第２の特定情報を取得する第２の情報取得手段と、前記第１の情報取得手段により取得された前記第１の特定情報と前記第２の情報取得手段により取得された前記第２の特定情報とに基づいて前記撮影装置の撮影手段に前記被写体の撮影を行わせる撮影制御手段と、を備えた、ことを特徴とする。
また、前記目的を達成するため、本発明の撮影方法の一態様は、自機の状態に関する第１の特定情報を取得する第１の情報取得ステップと、被写体側で取得された前記被写体の状態に関する第２の特定情報を取得する第２の情報取得ステップと、  前記第１の情報取得ステップにより取得された前記第１の特定情報と前記第２の情報取得ステップにより取得された前記第２の特定情報とに基づいて撮影手段に前記被写体の撮影を行わせる撮影制御ステップと、を含む、ことを特徴とする。
また、前記目的を達成するため、本発明のプログラムの一態様は、撮影装置が有するコンピュータに、自機の状態に関する第１の特定情報を取得する第１の情報取得処理と、被写体側で取得された前記被写体の状態に関する第２の特定情報を取得する第２の情報取得処理と、前記第１の情報取得処理により取得された前記第１の特定情報と前記第２の情報取得処理により取得された前記第２の特定情報とに基づいて撮影手段に前記被写体の撮影を行わせる撮影制御処理と、を実行させる、ことを特徴とする。
【手続補正６】
【補正対象書類名】明細書
【補正対象項目名】００１３
【補正方法】変更
【補正の内容】
【００１３】
図１に示したように、撮影装置１は制御部１１、撮像部１２、画像記憶部１３、ＧＰＳ部１４、通信部１５、表示部１６及び入力部１７を備えている。
【手続補正７】
【補正対象書類名】明細書
【補正対象項目名】００１９
【補正方法】変更
【補正の内容】
【００１９】
一方、無線装置２は、前記撮影装置１と共に使用されるものであって、人物を含む任意の撮影対象物に装着可能な小型の装置であって、制御部２１、ＧＰＳ部２２、通信部２３、発光部２４及び入力部２５を備えている。
【手続補正８】
【補正対象書類名】明細書
【補正対象項目名】００２０
【補正方法】変更
【補正の内容】
【００２０】
ＧＰＳ部２２は、ＧＰＳを利用して無線装置２の現在位置（緯度、経度）を計測し、その計測結果を制御部２１へ供給する。通信部２３は、撮影装置１との間で無線によるデータ通信を行う。発光部２４は、図示しない無線装置２の本体の表面に配置された特定色の可視光を発光するＬＥＤ（Light Emitting Diode）等の発光素子、及びその駆動回路から構成される。入力部２５は、電源スイッチや、ユーザーが撮影装置１とのペアリングを行う際に使用されるスイッチ等から構成される。
【手続補正９】
【補正対象書類名】明細書
【補正対象項目名】００２２
【補正方法】変更
【補正の内容】
【００２２】
そして、本実施形態の撮影装置１と無線装置２においては、ユーザーによりＢｌｕｅｔｏｏｔｈ（登録商標）におけるペアリングが行われ、双方間で通信が可能となった後、ユーザーによって撮影装置１に前述した自動撮影モードが設定され、かつ無線装置２に対して動作の開始操作が行われると、以下のように動作する。
【手続補正１０】
【補正対象書類名】明細書
【補正対象項目名】００３４
【補正方法】変更
【補正の内容】
【００３４】
以上のように自動撮影モードが設定されている間、撮影装置１は、無線装置２との間で移動方向、及び移動速度がほぼ一致するといった特定の関係となったとき、画角内に無線装置２の光点が存在していることを条件として、そのタイミングを自動的に流し撮りに適したＡＥ制御を伴う撮影を行う。
【手続補正１１】
【補正対象書類名】明細書
【補正対象項目名】００４６
【補正方法】変更
【補正の内容】
【００４６】
以上のように自動撮影モードが設定されている間、撮影装置１は、自機と無線装置２との間の距離の変化が閾値以下であるといった特定の関係となったとき、画角内に無線装置２の光点が存在していることを条件として、そのタイミングを自動的に流し撮りに適したＡＥ制御を伴う撮影を行う。
【手続補正１２】
【補正対象書類名】明細書
【補正対象項目名】００６１
【補正方法】変更
【補正の内容】
【００６１】
一方、以上の説明においては、主として撮影者と被写体の双方又は一方が移動しているとき、或いは何らかの動作を行っている場合について説明したが、撮影装置１には、例えば撮影者と、撮影者が意図する被写体とが共に静止状態となった時点で特定の関係になっていたとき自動的に撮影を行わせてもよい。その場合の撮影時におけるＡＥ制御は流し撮りに適したものである必要はなく、被写体の明るさのみに応じた一般的なＡＥ制御や、撮影者によって事前に設定されている内容のＡＥ制御で構わない。また、前述した実施形態における自動撮影モードにおいても、撮影時には撮影者によって事前に設定される内容のＡＥ制御を行わせるようにしても構わない。
【手続補正１３】
【補正対象書類名】特許請求の範囲
【補正対象項目名】全文
【補正方法】変更
【補正の内容】
【特許請求の範囲】
【請求項１】
自機の状態に関する第１の特定情報を取得する第１の情報取得手段と、
被写体側で取得された前記被写体の状態に関する第２の特定情報を取得する第２の情報取得手段と、
前記第１の情報取得手段により取得された前記第１の特定情報と前記第２の情報取得手段により取得された前記第２の特定情報とに基づいて撮影手段に前記被写体の撮影を行わせる撮影制御手段と、
を備えた、
ことを特徴とする撮影装置。
【請求項２】
前記第１の情報取得手段は前記自機の移動状態に関する前記第１の特定情報を取得し、前記第２の情報取得手段は前記被写体側で取得された前記被写体の移動状態に関する前記第２の特定情報を取得する、
ことを特徴とする請求項１に記載の撮影装置。
【請求項３】
前記第２の情報取得手段は、前記第２の特定情報を前記被写体が所持する無線装置から取得する、
ことを特徴とする請求項１又は２に記載の撮影装置。
【請求項４】
前記第１の特定情報と前記第２の特定情報とに基づいて、前記自機と前記被写体との間における物理的な相対関係が特定の関係となったか否かを判断する判断手段を備え、
前記撮影制御手段は、前記判断手段により前記自機と前記被写体との間における前記物理的な相対関係が前記特定の関係となったと判断されたことに応答して前記撮影手段に前記被写体の撮影を行わせる、
ことを特徴とする請求項１乃至３のいずれか１項に記載の撮影装置。
【請求項５】
前記特定の関係とは、前記自機と前記被写体とにおける移動速度と移動方向とのうちの少なくともいずれか一方が所定の範囲内にある関係である、
ことを特徴とする請求項４記載の撮影装置。
【請求項６】
前記特定の関係とは、前記自機と前記被写体とにおける移動速度の差と移動方向の差とのうちの少なくともいずれか一方が所定の範囲内にある関係である、
ことを特徴とする請求項４又は５記載の撮影装置。
【請求項７】
前記特定の関係とは、前記自機と前記被写体との距離の変化が所定の範囲内にある関係である、
ことを特徴とする請求項４乃至６のいずれか１項に記載の撮影装置。
【請求項８】
前記特定の関係とは、前記自機と前記被写体とにおける位置が所定の関係である、
ことを特徴とする請求項４乃至７のいずれか１項に記載の撮影装置。
【請求項９】
前記無線装置に可視光を発光する発光手段が設けられ、
前記撮影制御手段は、前記撮影手段に前記被写体の撮影に先立つ撮像動作を行わせ、前記撮像動作により得られた画像内に前記可視光の光点が存在することを条件として前記撮影手段に前記被写体の撮影を行わせる、
ことを特徴とする請求項３乃至８のいずれか１項に記載の撮影装置。
【請求項１０】
前記撮影制御手段は、前記撮影手段に前記被写体の撮影に先立つ撮像動作を行わせ、前記撮像動作により得られた画像内に特定の対象物が存在することを条件として前記撮影手段に前記被写体の撮影を行わせる、
ことを特徴とする請求項１乃至８のいずれか１項に記載の撮影装置。
【請求項１１】
前記特定の対象物は、特定人物の顔である、
ことを特徴とする請求項１０記載の撮影装置。
【請求項１２】
自機を所有する被写体の状態に関する第１の特定情報を取得する第１の情報取得手段と、
撮影装置側で取得された前記撮影装置の状態に関する第２の特定情報を取得する第２の情報取得手段と、
前記第１の情報取得手段により取得された前記第１の特定情報と前記第２の情報取得手段により取得された前記第２の特定情報とに基づいて前記撮影装置の撮影手段に前記被写体の撮影を行わせる撮影制御手段と、
を備えた、
ことを特徴とする無線装置。
【請求項１３】
自機の状態に関する第１の特定情報を取得する第１の情報取得ステップと、
被写体側で取得された前記被写体の状態に関する第２の特定情報を取得する第２の情報取得ステップと、
前記第１の情報取得ステップにより取得された前記第１の特定情報と前記第２の情報取得ステップにより取得された前記第２の特定情報とに基づいて撮影手段に前記被写体の撮影を行わせる撮影制御ステップと、
を含む、
ことを特徴とする撮影方法。
【請求項１４】
撮影装置が有するコンピュータに、
自機の状態に関する第１の特定情報を取得する第１の情報取得処理と、
被写体側で取得された前記被写体の状態に関する第２の特定情報を取得する第２の情報取得処理と、
前記第１の情報取得処理により取得された前記第１の特定情報と前記第２の情報取得処理により取得された前記第２の特定情報とに基づいて撮影手段に前記被写体の撮影を行わせる撮影制御処理と、
を実行させる、
ことを特徴とするプログラム。
【手続補正１４】
【補正対象書類名】図面
【補正対象項目名】図２
【補正方法】変更
【補正の内容】
【図２】
2017011553.tif 000001
【手続補正１５】
【補正対象書類名】図面
【補正対象項目名】図３
【補正方法】変更
【補正の内容】
【図３】
2017011553.tif 000002